(57)【特許請求の範囲】
【請求項１】
走行輪及び耕耘ロータが回転駆動可能に設けられた機体を備える歩行型管理機に装着され、該歩行型管理機の前進走行に伴って地面の土を排土する排土板であって、
前記排土板は、前記歩行型管理機の前記機体に取り付けられる装着部と、該装着部に接続されて前記歩行型管理機の幅方向に延びて排土を該歩行型管理機の幅方向側方に移動させる排土板本体部を有し、
前記排土板本体部の下部には、前記地面に対して略垂直方向に延びるエッジ部が形成され、
前記排土板本体部は、前記エッジ部から上方へ進むに従って前方側に傾斜するように形成されている
ことを特徴とする排土板。
【請求項２】
前記エッジ部の後部には、該排土板本体部の進行方向後側に延びて地面に接する沈下防止部が設けられている
ことを特徴とする請求項１に記載の排土板。
【請求項３】
前記排土板本体部は、その上部が前記装着部に回動自在に支持されるとともに、前記排土板本体部の後部と前記装着部との間に設けられた弾性部材を介して上下方向に弾性支持されている
ことを特徴とする請求項１または請求項２に記載の排土板。
【請求項４】
機体に設けられた走行輪の進行方向前側又は進行方向後側に耕耘ロータが設けられ、該走行輪の回転に伴って前進走行可能な歩行型管理機と、該歩行型管理機の前記機体に装着されて前記歩行型管理機の前進走行に伴って地面の土を排土する排土板とを備える排土装置であって、
前記排土板は、前記走行輪の進行方向前側に設けられた耕耘ロータよりも進行方向前側の機体又は、前記走行輪の進行方向後側に設けられた耕耘ロータよりも進行方向後側の機体に着脱可能に装着されるとともに、前記歩行型管理機の幅方向に延びて排土を該歩行型管理機の幅方向側方に移動させる排土板本体部を有し、
前記排土板本体部の下部には、前記地面に対して略垂直方向に延びるエッジ部が形成され、
前記排土板本体部は、前記エッジ部から上方へ進むに従って前方側に傾斜するように形成されている
ことを特徴とする排土装置。
【請求項５】
前記エッジ部の後部には、該排土板本体部の進行方向後側に延びて地面に接する沈下防止部が設けられている
ことを特徴とする請求項４に記載の排土装置。
【請求項６】
前記排土板は、機体進行方向に対して交差する方向に延びた状態で前記歩行型管理機の前記機体に装着される
ことを特徴とする請求項４または請求項５に記載の排土装置。
【請求項７】
前記排土板は、前記歩行型管理機の前記機体に設けられた支持部に取り付けられる装着部を中心として機体進行方向に対して左右方向に回動自在に支持されて、前記歩行型管理機の前進走行に伴って左右方向左側に排土可能な左側作業位置と、前記歩行型管理機の前進走行に伴って左右方向右側に排土可能な右側作業位置との間を移動自在である
ことを特徴とする請求項４乃至請求項６のいずれかに記載の排土装置。
【請求項８】
前記排土板は、前記左側作業位置又は前記右側作業位置に移動すると、該排土板による土の排出側の端部が前記歩行型管理機の前記走行輪よりも外側に位置する
ことを特徴とする請求項７に記載の排土装置。
【発明の詳細な説明】
【技術分野】
【０００１】
本発明は、柑橘類を栽培する傾斜園地に作業通路を設ける際に使用される排土板及び排土装置に関する。
【背景技術】
【０００２】
柑橘栽培はその多くが傾斜地で行われており、豊富な日照や良好な排水など高品質な果実生産に適しているが、平坦地に比べて傾斜地での作業負担は大きく、特に収穫果実の運搬作業の省力化の要望は大きい。そこで、運搬作業の省力化に対して単軌条運搬機（モノレール）の他に、軽トラックや運搬車を園内で利用する方法が行われている。この傾斜園地において運搬車を利用するためには、まず作業通路を整備することが必要であり、これまで、各種機械を利用した園内作業通路の整備技術が開発されてきたが、園地の傾斜や形状、大きさはまちまちであり、園地状況に応じた整備技術のメニュー作りが求められている。
【０００３】
園内作業通路の整備技術としては、傾斜角度が２５度までの傾斜園地を対象に、油圧ショベルを利用して掘削・整地を行い、幅１〜２ｍの園内道を整備する技術が開発されている。また、傾斜角度が２５度を超える急峻傾斜地では、歩行型管理機による掘削と、人力（鍬）による排土・整地作業によって幅30〜50cmの作業道を等高線方向に設置する技術が開発されている。また、関連技術として、土を排土・整地する機構は、ブルドーザをはじめとする建設用機械（特許文献１参照）やモータグレーダと呼ばれる道路工事用機械など、一般に大型機械に備えられている。
【先行技術文献】
【特許文献】
【０００４】
【特許文献１】特開平８−１８４０７２号公報
【発明の概要】
【発明が解決しようとする課題】
【０００５】
油圧ショベルを用いた作業道の整備は、１ｍ以上の通路幅を確保する際に有効であるが、機械の操作、特に整地作業において熟練を要するため農家個人の利用には限界があり、小規模な園地の通路整備には手軽に活用できる技術ではない。また、建設用機械を用いた作業道の整備は、建設用機械が大型機械であるので、小規模な園地には不向きな技術である。
【０００６】
一方、前述の歩行型管理機の利用は、小規模な園地においては有望であり、傾斜角度２０度以下の園地では、通路幅を1m程度まで広げることができるので、油圧ショベルを用いなくともクローラ運搬車が等高線方向に走行できる通路を整備することができる。しかしながら、この管理機は掘削のみを目的とし、掘削土の排土・整地は人力で行うことを前提としているため、通路幅を１ｍにまで広げた場合には、排土する土の量が多大になり、鍬による人力の整地作業が重労働となるうえ作業能率も悪くなる。
【０００７】
本発明は、このような課題に鑑みてなされたものであり、歩行型管理機を利用して、排土・整地作業が可能な排土板及び排土装置を提供することを目的とする。
【課題を解決するための手段】
【０００８】
このような課題を解決するため、本発明は、走行輪及び耕耘ロータが回転駆動可能に設けられた機体を備える歩行型管理機に装着され、該歩行型管理機の前進走行に伴って地面の土を排土する排土板であって、排土板は、歩行型管理機の機体に取り付けられる装着部と、該装着部に接続されて歩行型管理機の幅方向に延びて排土を該歩行型管理機の幅方向側方に移動させる排土板本体部を有し、排土板本体部の下部には、地面に対して略垂直方向に延びるエッジ部が形成され、排土板本体部は、エッジ部から上方へ進むに従って前方側に傾斜するように形成されていることを特徴とする（請求項１）。
【０００９】
また本発明のエッジ部の後部には、該排土板本体部の進行方向後側に延びて地面に接する沈下防止部が設けられていることを特徴とする（請求項２）。
【００１１】
さらに本発明の排土板本体部は、その上部が装着部に回動自在に支持されるとともに、排土板本体部の後部と装着部との間に設けられた弾性部材（実施の形態における圧縮コイルばね７２）を介して上下方向に弾性支持されていることを特徴とする（請求項３）。
【００１２】
また本発明は、機体に設けられた走行輪の進行方向前側又は進行方向後側に耕耘ロータ
が設けられ、該走行輪の回転に伴って前進走行可能な歩行型管理機と、該歩行型管理機の
機体に装着されて歩行型管理機の前進走行に伴って地面の土を排土する排土板とを備える
排土装置であって、排土板は、走行輪の進行方向前側に設けられた耕耘ロータよりも進行
方向前側の機体又は、走行輪の進行方向後側に設けられた耕耘ロータよりも進行方向後側
の機体に着脱可能に装着されるとともに、歩行型管理機の幅方向に延びて排土を該歩行型管理機の幅方向側方に移動させる排土板本体部を有し、排土板本体部の下部には、地面に対して略垂直方向に延びるエッジ部が形成され、排土板本体部は、エッジ部から上方へ進むに従って前方側に傾斜するように形成されていることを特徴とする（請求項４）。
また本発明のエッジ部の後部には、該排土板本体部の進行方向後側に延びて地面に接する沈下防止部が設けられていることを特徴とする（請求項５）。
【００１３】
また本発明の排土板は、機体進行方向に対して交差する方向に延びた状態で歩行型管理機の機体に装着されることを特徴とする（請求項６）。
【００１４】
また本発明の排土板は、歩行型管理機の機体に設けられた支持部に取り付けられる装着部を中心として機体進行方向に対して左右方向に回動自在に支持されて、歩行型管理機の前進走行に伴って左右方向左側に排土可能な左側作業位置と、歩行型管理機の前進走行に伴って左右方向右側に排土可能な右側作業位置との間を移動自在であることを特徴とする（請求項７）。
【００１５】
また本発明の排土板は、左側作業位置又は右側作業位置に移動すると、該排土板の土を排出する側の端部が歩行型管理機の走行輪よりも外側に位置していることを特徴とする（請求項８）。
【発明の効果】
【００１６】
本発明に係わる排土板及び排土装置は、前述した特徴を有することで、歩行型管理機を利用して、排土・整地作業が可能な排土板及び排土装置を提供することができる。
【図面の簡単な説明】
【００１７】
【図１】本発明の一実施形態に係わる排土装置の斜視図を示す。
【図２】本発明の一実施形態に係わる排土板を示し、同図（ａ）は排土板の平面図であり、同図（ｂ）は排土板の正面図であり、同図（ｃ）は排土板の側面図を示す。
【図３】排土板の構造を説明するための説明図を示す。
【図４】排土板の構造を説明するための説明図を示す。
【図５】排土板の歩行型管理機に対する装着方向を説明するための排土装置の前側の部分斜視図を示す。
【図６】排土板の歩行型管理機に対する装着位置を説明するための排土装置の前側の部分平面図を示す。
【図７】排土装置の作用を説明するための排土装置の前側斜視図を示す。
【発明を実施するための形態】
【００１８】
以下、本発明に係わる排土板及び排土装置の一実施形態を図１〜図７に基づいて説明する。先ず、本発明の排土板及び排土装置のうち、排土板を備える排土装置について、図１を参照しながら説明する。
【００１９】
排土装置１は、図１に示すように、歩行型管理機１０とこの前部に装着された排土板３０とを有して構成されている。歩行型管理機１０は、前後方向に延びる機体１１と、機体１１の後側上部に搭載されたエンジン１２と、機体１１の前側下部に回転自在に支持されてエンジン１２の動力を受けて回転する耕耘ロータ１３と、機体１１の後側下部に回転自在に支持されてエンジン１２の動力を受けて回転して機体幅方向両側に配設された一対の走行輪１４，１４'と、機体１１の後側上部から後方側へ延びるハンドル１５とを有してなる。
【００２０】
歩行型管理機１０は、走行輪１４，１４'の回転によって前進走行しながら、回転する耕耘ロータ１３によって園地の土を耕耘し、作業者のハンドル１５の操作によって向きが変えられる。
【００２１】
歩行型管理機１０の機体前側の幅方向中央部には、排土板３０を取り付けるための支持部１７が設けられている。支持部１７は、上下方向に貫通する孔部を備えて筒状に形成され、孔部の断面形状は矩形状に形成されている。支持部１７には図示しない止めねじが設けられ、この止めねじによって支持部１７に挿通された排土板３０の連結軸部３２が支持部１７に固定される。なお、この支持部１７には、排土板３０の他に、図示しない接地輪が装着されて耕耘ロータ１３の耕耘深さ調整が可能である。
【００２２】
次に、歩行型管理機１０に装着される排土板３０について、図１〜図４を参照しながら説明する。排土板３０は、図１、図２（ａ）、図２（ｂ）、図２（ｃ）に示すように、歩行型管理機１０の支持部１７に取り付けられる装着部３１と、装着部３１に接続されて歩行型管理機１０の幅方向に延びる排土板本体部５０とを有してなる。
【００２３】
装着部３１は、歩行型管理機１０の支持部１７に挿着される前述した連結軸部３２と、連結軸部３２に回動可能に設けられた支持板部４０とを有してなる。連結軸部３２は、鉛直方向に延びる下側軸部３２ａと、下側軸部３２ａの上部に繋がって斜め上方へ延びる上側軸部３２ｂを有して構成されている。連結軸部３２は断面が矩形状に形成されて、支持部１７の矩形状に形成された孔部に挿通可能である。このため、連結軸部３２は支持部１７の孔部に挿通可能であるが、孔部に対して回動させることができない。
【００２４】
下側軸部３２ａの下部には前方へ突出するアーム部３３が取り付けられ、アーム部３３の先端部には上下方向へ延びる筒状の回動支持部３４が設けられている。回動支持部３４内には上下方向に貫通する孔部３４ａが設けられている。この孔部３４ａの断面は円形状に形成され、この孔部３４ａに支持板部４０に設けられた回動軸部４１が回動自在に挿通される。
【００２５】
回動支持部３４の上側には孔部３４ａに挿通された回動軸部４１を固定するための止めねじ３５が設けられている。また、回動支持部３４の下側には、排土板本体部５０の歩行型管理機１０の機体幅方向（以下、左右方向と記す。）の傾き角度を調整するための一対の角度調整部材３６，３６'が設けられている。この角度調整部材３６，３６'は、板状に形成され、平面視において、矢印Ａで示す機体進行方向に対して左右方向に所定角度θ（図面ではθ＝４５度）を有した位置に配置されている。この一対の角度調整部材３６，３６'に支持板部４０の幅方向中央部に設けられた移動規制ピン４２が当接することで、排土板本体部５０を機体進行方向に対して左右方向に所定角度θ（４５度）を有した位置に位置決めすることができる。
【００２６】
即ち、一対の角度調整部材３６,３６'のうちの機体進行方向左側に配設された角度調整部材３６に移動規制ピン４２が当接すると、排土板本体部５０は機体進行方向左側に傾いた状態になる。また、一対の角度調整部材３６，３６'のうちの機体進行方向右側に配設された角度調整部材３６'に移動規制ピン４２が当接すると、排土板本体部５０は機体進行方向右側に傾いた状態になる。なお、角度調整部材３６'に移動規制ピン４２が当接して排土板本体部５０が機体進行方向右側に傾いているときの排土板本体部５０の位置を右側作業位置Ｐｒ（図１，図７参照）と記し、角度調整部材３６に移動規制ピン４２が当接して排土板本体部５０が機体進行方向左側に傾いた状態にあるときの排土板本体部５０の位置を左側作業位置と記す。
【００２７】
なお、排土板本体部５０が右側作業位置Ｐｒ又は左側作業位置に移動した状態で、止めねじ３５によって回動軸部４１を回動支持部３４に固定することで、排土板本体部５０を右側作業位置Ｐｒ又は左側作業位置に固定することができる。また、回動支持部３４の上方には、回動軸部４１の上部に固着された抜脱防止部材４５が回動支持部３４に接触した状態で配置されている。この抜脱防止部材４５は、回動支持部３４と同様に円筒状に形成され、内部の孔部に回動軸部４１が挿通された状態で回動軸部４１に一体的に固着されている。このため、回動軸部４１が下方へ移動すると、抜脱防止部材４５の下端面が回動支持部３４の上端面に当接して、回動軸部４１が回動支持部３４の孔部３４ａから抜脱されるのを防止することができる。
【００２８】
回動軸部４１の下端部には支持板部４０が一体的に固着されている。支持板部４０は平面視において前後方向に延びた略矩形状に形成され、支持板部４０の前側は支持板部幅方向に拡開している。この支持板部４０の前端部に断面形状が円形の軸部４３が支持板部４０の幅方向に一体的に固着されている。軸部４３は、支持板部４０の前端部の両側から略同一長さを有して延出している。なお、支持板部４０の後側の上面に前述した回動軸部４１が固着されている。
【００２９】
この軸部４３に排土板本体部５０が回動自在に支持される。排土板本体部５０の軸部４３に対する支持の構成については後述する。支持板部４０の後側は下方に屈曲し、この下方へ折り曲げられた支持板部４０に後述する附勢手段７０が接続される。
【００３０】
排土板本体部５０は、金属材料（例えば、鉄、ステンレス等）で形成された長方形状の板材を側面視において上方に進むに従って前側に傾斜するように湾曲状に形成されている。
【００３１】
排土板本体部５０の上端部の幅方向両側には、上端部に沿って延びる一対の筒部５１，５１が設けられている。これらの筒部５１，５１は、略同じ長さを有し、排土板本体部５０の上端部の幅方向中央部に対して対称的に配置されている。これらの筒部５１，５１に軸部４３が回動自在に挿通される。このため、排土板本体部５０は軸部４３を中心として上下方向に回動自在に支持されている。
【００３２】
これらの筒部５１，５１間に支持板部４０の前端部が配置されている。このため、排土板本体部５０が支持板部４０に対して支持板部幅方向に移動しようとすると、支持板部４０の前側端部が一対の筒部５１，５１のいずれかに当接して排土板本体部５０の支持板部幅方向への移動が規制される。
【００３３】
排土板本体部５０の幅方向両端部の下側には、後方側へ延びる側方抵抗板５２が設けられている。側方抵抗板５２は排土板本体部５０の斜め内側方向へ延びるように形成されている。図面では側方抵抗板５２の排土板本体部５０の幅方向端部に対する傾斜角度αは約４５度である。この傾斜角度αは、排土板本体部５０が進行方向に対して４５度の角度を有して傾いた右側作業位置Ｐｒ又は左側作業位置に移動した状態で排土作業を行う場合に、側方抵抗板５２が機体進行方向に沿うようにするために４５度に設定されている。
【００３４】
排土板本体部５０の下部には、図２（ｃ）、図３に示すように、地面Ｇｆに対して略垂直方向に延びるエッジ部５０ａが形成されている。エッジ部５０ａの後部には、エッジ部５０ａに対して略直交して後方側に直線状に延びる沈下防止部５０ｂが形成されている。この沈下防止部５０ｂは板状に形成されて、地面Ｇｆに面接触しながら地面Ｇｆ上を矢印Ａ方向（図３参照）に移動する。
【００３５】
この沈下防止部５０ｂにより、排土作業中に排土板本体部５０が未耕土部分に刺さったり、沈下したりすることを防止することができ、未耕土上を滑るように移動して、耕耘された耕土のみを移動させることができる。従って、排土板本体部５０が受ける抵抗力を小さくすることができ、小型の歩行型管理機１０の駆動力で十分に前進走行することができる。
【００３６】
排土板本体部５０と支持板部４０との間には、図２（ｂ）、図２（ｃ）に示すように、附勢手段７０が設けられている。附勢手段７０は、下側が排土板本体部５０の幅方向中央部の後面部に回動自在に接続され上側が支持板部４０の後側に設けられた孔部４４に挿通された軸部７１と、軸部７１に挿着された圧縮コイルばね７２とを有してなる。軸部７１はその上側が孔部４４に移動自在に挿通され、軸部７１の上側にはナット７３が螺合されている。支持板部４０の下面から下方へ延びる軸部７１には圧縮コイルばね７２が挿着され、圧縮コイルばね７２の下端部は軸部７１の軸方向中間部に螺合されたナット７４に接触している。
【００３７】
圧縮コイルばね７２の附勢力は、ナット７４の位置調整によって調整される。すなわち、ナット７４を圧縮コイルばね７２側に移動させると圧縮コイルばね７２は縮小されて附勢力が増大する。またナット７４の位置調整によって排土板本体部５０が上方へ跳ね上げられるのに必要な初期抵抗力の調整をすることができる。一方、ナット７３の位置調整によって、排土板本体部５０の下部のエッジ部５０ａが地面に対して略垂直方向に延びるように排土板本体部５０の姿勢を一定にすることができ、またナット７３によって、軸部７１の孔部４４からの抜脱を規制することができる。
【００３８】
このように、排土板本体部５０は附勢手段７０を介して支持されているので、図４に示すように、排土板本体部５０が石等の障害物Ｓに衝突すると、排土板本体部５０は圧縮コイルばね７２の附勢に抗して軸部４３を回動支点として後方側へ跳ね上がる。このため、排土板本体部５０に過大な衝撃荷重が作用するのを防止して、排土板本体部５０の損傷を未然に防止することができる。なお、圧縮コイルばね７２は、その附勢力（抵抗力）が歩行型管理機１０の推進力よりも小さく、且つ排土による抵抗力よりも大きい力になるように設定される。
【００３９】
このように構成された排土板３０の排土板本体部５０は、前述したように、右側作業位置Ｐｒに移動すると、図５及び図６に示すように、機体進行方向に対して右側に約４５度の角度を有して傾く（図５参照）。また、排土板本体部５０が右側作業位置Ｐｒに移動すると、排土板本体部５０の排出側の左右方向の長さＬａが排土板本体部５０の非排出側の長さＬｂよりも長くなるように移動して、排土板本体部５０の土を排出する側の端部が歩行型管理機１０の走行輪１４よりも外側に位置する（図６参照）。
【００４０】
なお、図示は省略するが、排土板本体部５０を左側作業位置に移動させると、排土板本体部５０を右側作業位置に移動させた場合と同様に、排土板本体部５０の排出側の左右方向の長さＬａが排土板本体部５０の非排出側の長さＬｂよりも長くなり、排土板本体部５０の土を排出する側の端部が歩行型管理機１０の走行輪１４'よりも外側に位置することになる。
【００４１】
次に、歩行型管理機１０に排土板３０が装着された排土装置１によって、傾斜園地の等高線方向に作業通路を造成する場合について、図５〜図７を参照しながら説明する。先ず、歩行型管理機１０に排土板３０が装着されている場合には、排土板３０を歩行型管理機１０から取り外し、傾斜園地の作業通路を造成する作業現場に歩行型管理機１０を移動させる。そして、歩行型管理機１０を、傾斜園地の等高線の一側から等高線方向に沿って他側へ歩行型管理機１０を前進走行させながら耕耘ロータ１３によって作業通路となる傾斜園地の耕土を耕耘する。
【００４２】
次に、図７に示すように、歩行型管理機１０の前部に排土板３０を装着し、排土板本体部５０を装着部３１に対して右側作業位置Ｐｒ又は左側作業位置に移動させて固定する。本実施例では、排土板３０を右側作業位置Ｐｒに位置させた場合について説明する。排土装置１の歩行型管理機１０を、耕耘された作業通路となる傾斜園地の他側から一側方向へ前進走行させると、歩行型管理機１０の前進走行に伴って排土板本体部５０が前側に移動し、耕耘された耕土は排土板本体部５０の前面に沿って上方へせり上がるとともに機体進行方向前側に回転しながら、排土板本体部５０の進行方向右側へ移動して、連続的に排出される。
【００４３】
そして、排土装置１が作業通路となる一端側に移動すると、歩行型管理機１０を停止させる。ここで、排土装置１による排土・整地作業が不十分な場合には、排土装置１の向きを反転させ、排土板本体部５０を左側作業位置に移動させる。そして、歩行型管理機１０を作業通路となる一端側から他端側に前進走行させながら、排土板本体部５０が排土作業を行う。
【００４４】
ここで、排土板本体部５０は、図５に示すように、機体進行方向（矢印Ａ方向）に対して約４５度の角度を有して配置されているので、排土板本体部５０の進行時には、耕土に対して排出方向成分の力が作用する。このため、排土板本体部５０の湾曲形状による耕土の回転移動（図７参照）及びエッジ部５０ａの略垂直方向に延びる配置と相まって、排土板本体部５０の進行方向前側に滞留する耕土の量を最小限にすることができる。このため、作業通路の幅方向の仕上がりが均一になるとともに、排土作業時の排土抵抗を低減することができ、排土作業時の排土装置１の直進安定性を向上させることができる。
【００４５】
さらに、排土板３０は、図６に示すように、右側作業位置Ｐｒに移動した状態で、排土板本体部５０の排出側の左右方向の長さＬａが排土板本体部５０の非排出側の長さＬｂよりも長くなる（Ｌａ＞Ｌｂ）ので、歩行型管理機１０の進行方向右側の走行輪１４は排出された柔らかい排土上ではなく、排土された固い作業通路を走行する。このため、排土作業時の排土装置１の直進安定性をさらに向上させることができる。
【００４６】
なお、前述した実施例では、図１に示すように、走行輪１４の前方に耕耘ロータ１３を備える歩行型管理機１０を例にして説明したが、走行輪１４の後方に耕耘ロータ１３を備える歩行型管理機でもよい。この場合には、排土板３０は、耕耘ロータの進行方向後側に設けられる。
【００４７】
また、排土板３０の排土板本体部５０は側面視において湾曲した形状を示したが、排土板本体部５０は、直線状に延びる板部材を所定間隔を有して複数段に折り曲げ形成して全体として湾曲状に形成されたものでもよい。
【符号の説明】
【００４８】
１  排土装置
１０  歩行型管理機
１１  機体
１３  耕耘ロータ
１４、１４'  走行輪
１７  支持部
３０  排土板
３１  装着部
５０  排土板本体部
５０ａ  エッジ部
５０ｂ  沈下防止部
７２  圧縮コイルばね（弾性部材）
【図１】
0005845800.tif 000002
【図２】
0005845800.tif 000003
【図３】
0005845800.tif 000004
【図４】
0005845800.tif 000005
【図５】
0005845800.tif 000006
【図６】
0005845800.tif 000007
【図７】
0005845800.tif 000008